(57)【要約】【課題】第一に、土壌が収容され草花或いは樹木が植えられる容器とは全く別個に水路手段を構成する散水ホースを配設することが必要であり、製造コストが増大すると共に散水ホースに起因して外観が劣化せしめられてしまう。第二に、街路の景観の向上のために、複数個の植物栽培装置を街路に沿ってタンデム配置することが望まれることが少なくないが、かかるタンデム配置に適用することが不可能ではないにしても著しく困難である。第三に、耐候性が必ずしも充分ではなく、街路に沿って使用した場合等には、比較的短期間の内に劣化されてしまう。【解決手段】上面が開放された箱状容器（６）を含む。容器の底壁（２４）、片側壁（２６）及び他側壁（２８）は長手方向に延在する主部材（２０）から構成されている。底壁、片側壁及び他側壁の少なくともいずれか１個には長手方向に延びる貫通穴（３６、３８、４０、４２）が形成されている。貫通穴には少なくとも１個の散水手段（４４、４６）が付設せしめられている。【選択図】        図１
2004283006.tif 000002
【特許請求の範囲】
【請求項１】
上面が開放された箱状容器を含み、該容器の底壁、片側壁及び他側壁は長手方向に延在する主部材から構成されており、該底壁、該片側壁及び該他側壁の少なくともいずれか一個には長手方向に延びる貫通穴が形成されており、該貫通穴には少なくとも一個の散水手段が付設せしめられている、ことを特徴とする植物栽培装置。
【請求項２】
該主部材は、重量比率で３５％以上の合成樹脂と６５％以下のセルロース系微粉粒とを含む、押出成形された木質様部材から形成されている、請求項１記載の植物栽培装置。
【請求項３】
該容器は該主部材の両端に固定された両端壁部材を含み、該両端壁部材の各々には該貫通穴に連通せしめられている管状接続部材が配設されている、請求項１又２記載の植物栽培装置。
【請求項４】
該容器の該底壁には該貫通穴が少なくとも一個配設されており、該散水手段は該底壁に配設された該貫通穴から上方に延びる配管部材を含んでいる、請求項１から３までのいずかに記載の植物栽培装置。
【請求項５】
長手方向に間隔をおいて配設され且つ実質上鉛直に延びる少なくとも２個の支柱手段を含み、該容器の該底壁が該支柱手段の上端に連結されている、請求項１から４までのいずれかに記載の植物栽培装置。
【請求項６】
該支柱手段は基礎ブロックと該基礎ブロックから実質上鉛直に上方に延びる中空柱部材とから構成され、該基礎ブロックはセメントを主成分とする材料から形成されており、該中空柱部材は重量比率で３５％以上の合成樹脂と６５％以下のセルロース系微粉粒とを含む、押出成形された木質様部材から形成されている、請求項１から５までのいずれかに記載の植物栽培装置。
【請求項７】
該木質様部材は重量比率で４０乃至８０％の合成樹脂と２０乃至６０％のセルロース系微粉粒とを含む、請求項２又は６記載の植物栽培装置。
【請求項８】
セルロース系微粉粒は木材微粉粒である、請求項７記載の植物栽培装置。
【請求項９】
該容器の該底壁における両側縁部の少なくとも一方には該貫通穴が少なくとも一個配設されており、該散水手段は該片側壁及び／又は該他側壁を貫通して延びる配管部材を含んでいる、請求項１から９までのいずれかに記載の植物栽培装置。
【請求項１０】
該散水手段は長手方向に間隔をおいて複数個配設されている、請求項１から９までのいずかに記載の植物栽培装置。
【発明の詳細な説明】
【０００１】
【発明が属する技術分野】
本発明は、散水手段を備えた植物栽培装置、殊に、それに限定されるものではないが、街路等に沿って複数個を順次にタンデム配置して使用するのに適する、散水手段を備えた植物栽培装置に関する。
【０００２】
【従来の技術】
下記特許文献１には散水手段を備えた植物栽培装置が開示されている。この植物栽培装置は上面が開放された複数個の容器を含んでおり、かかる容器の各々には適宜の土壌が収容され草花或いは樹木が植えられる。植物栽培装置には、更に、供水手段から延在せしめられている散水用ホースから構成された水路手段、及び水路手段に付設された散水ノズルの如き散水手段も配設されている。
【０００３】
【特許文献１】
実用新案登録第３０５１５８９号公報
【０００４】
【発明が解決しようとする課題】
而して、従来の植物栽培装置には次のとおりの解決すべき問題が存在する。第一に、土壌が収容され草花或いは樹木が植えられる容器とは全く別個に水路手段を構成する散水ホースを配設することが必要であり、製造コストが増大すると共に散水ホースに起因して外観が劣化せしめられてしまう。第二に、街路の景観の向上のために、複数個の植物栽培装置を街路に沿ってタンデム配置することが望まれることが少なくないが、かかるタンデム配置に適用することが不可能ではないにしても著しく困難である。第三に、耐候性が必ずしも充分ではなく、街路に沿って使用した場合等には、比較的短期間の内に劣化されてしまう。
【０００５】
本発明は上記事実に鑑みてなされたものであり、その主たる技術的課題は、水路手段を構成する散水ホースを別個に配設する必要がなく、比較的安価に製造することができ、そしてまた必要に応じて複数個をタンデム配列して好都合に使用することができる、新規且つ改良された植物栽培装置を提供することである。
【０００６】
本発明の他の目的は、上記主たる技術的課題の達成に加えて、耐候性に優れた、新規且つ改良された植物栽培装置を提供することである。
【０００７】
【課題を解決するための手段】
本発明者等は鋭意検討の結果、容器の底壁、片側壁及び他側壁を長手方向に延在する主部材から構成し、底壁、片側壁及び他側壁の少なくともいずれか一個には長手方向に延びる貫通穴を形成し、かかる貫通穴を水路手段として利用することによって上記主たる技術的課題を達成することができることを見出した。
【０００８】
即ち、本発明によれば、上記主たる技術的課題を達成する植物栽培装置として、上面が開放された箱状容器を含み、該容器の底壁、片側壁及び他側壁は長手方向に延在する主部材から構成されており、該底壁、該片側壁及び該他側壁の少なくともいずれか一個には長手方向に延びる貫通穴が形成されており、該貫通穴には少なくとも一個の散水手段が付設せしめられている、ことを特徴とする植物栽培装置が提供される。
【０００９】
該主部材を、重量比率で３５％以上の合成樹脂と６５％以下のセルロース系微粉粒とを含む、押出成形された木質様部材から形成することによって、上記主たる技術的課題を達成すると共に上記他の技術的課題を達成することができる。好ましくは、該容器は該主部材の両端に固定された両端壁部材を含み、該両端壁部材の各々には該貫通穴に連通せしめられている管状接続部材が配設されている。該容器の該底壁には該貫通穴が少なくとも一個配設されており、該散水手段は該底壁に配設された該貫通穴から上方に延びる配管部材を含んでいるのが好適である。好適実施形態においては、長手方向に間隔をおいて配設され且つ実質上鉛直に延びる少なくとも２個の支柱手段を含み、該容器の該底壁が該支柱手段の上端に連結されている。該支柱手段は基礎ブロックと該基礎ブロックから実質上鉛直に上方に延びる中空柱部材とから構成され、該基礎ブロックはセメントを主成分とする材料から形成されており、該中空柱部材は重量比率で３５％以上の合成樹脂と６５％以下のセルロース系微粉粒とを含む、押出成形された木質様部材から形成されている。該木質様部材は重量比率で４０乃至８０％の合成樹脂と２０乃至６０％のセルロース系微粉粒とを含むのが好適である。セルロース系微粉粒は木材微粉粒でよい。好適実施形態においては、該容器の該底壁における両側縁部の少なくとも一方には該貫通穴が少なくとも一個配設されており、該散水手段は該片側壁及び／又は該他側壁を貫通して延びる配管部材を含んでいる。該散水手段は長手方向に間隔をおいて複数個配設されている。
【００１０】
【発明の実施の形態】
以下、添付図面を参照して、本発明に従って構成された植物栽培装置の好適実施形態について、更に詳細に説明する。
【００１１】
図１には本発明に従って構成された植物栽培装置の一好適実施形態が図示されている。図示の実施形態における植物栽培装置２は、図１乃至図７を比較参照すれば理解されるとおり、タイマー付き供水手段４が一個と、上面が開放された箱状容器６が二個、タイマー付き供水手段４と二個の容器６の一方との間に配設されている水路手段８が一本と、二個の容器６の間に配設されている連結水路手段１０が四本と、連結水路手段１０を覆うカバー部材１２が一個と、夫々の容器６の下面に長手方向に間隔をおいて固定されている固定盤１４が四個と、夫々の固定盤１４の下面から実質上鉛直に延びる支柱手段１６が四個と、夫々の容器６の支柱手段１６間に配設された格子１８が二個とを含んでいる。
【００１２】
タイマー付き供水手段４は図示していない取水路を介して水源に連通せしめられており、設定時間に従って水源から取水する。かかるタイマー付き供水手段４は当業者には周知の形態のものでよく、従ってこの構成の詳細な説明は省略する。
【００１３】
上面が開放された容器６は長手方向に延在する主部材２０と、かかる主部材２０の長手方向の両端に適宜の固定手段或いは接着手段によって固定された両端壁部材２２を含んでいる。主部材２０は重量比率３５％以上の合成樹脂と６５％以下のセルロース径微粉粒とを含む、押出成形された木質様部材から形成されているのが好適である。特に、木質様部材は重量比率で４０乃至８０％の合成樹脂と２０乃至６０％のセルロース系微粉粒とを含むのが好ましい。好ましくは、セルロース系微粉粒は木材微粉粒である。木質様部材の製造方法についての詳細な説明は、特許第２５４４３１０号公報の明細書及び図面に詳細に説明されているのでかかる記載に委ね、本明細書においては説明を省略する。
【００１４】
上述されたように構成された主部材２０は矩形状の底壁２４と、矩形状の片側壁２６と、鉛直方向において片側壁２６よりも高さが低い矩形状の他側壁２８とから構成されており、底壁２４には長手方向に直行する方向の中央部に長手方向に延びる第一の突出部３０が形成され、底壁２４における両側縁部の一方、即ち底壁２４と片側壁２６とによって構成される角隅には長手方向に延びる第二の突出部３２が形成され、底壁２４における両側側縁部の他方、即ち底壁２４と他側壁２８とによって構成される角隅には長手方向に延びる第三の突出部３４が形成されており、第一の突出部３０には長手方向に延びる二個の貫通孔３６及び３８が形成されており、第二の突出部３２及び第三の突出部３４の夫々には、長手方向に延びる貫通孔４０及び４２が形成されている。図示の実施形態における貫通孔３６、３８、４０及び４２には夫々に長手方向に間隔をおいて四個の散水手段４４及び４６が配設されている。図示の実施形態における散水手段４４の夫々は貫通孔３６或いは３８から上方に延び、次いで先端部で漸次屈曲せしめられている配管部材を含んでいる。図示の実施形態における散水手段４６の各々は貫通孔４０或いは４２から片側壁２６或いは他側壁２８を貫通して延びる配管部材を含んでいる。主部材２０の底壁２４における、第一の突出部３０によって区分される両側には夫々に、長手方向に直行する方向に間隔をおいて三個配設された排水孔４８が長手方向に間隔をおいて合計九個配設されている。また、主部材２０における底壁２４に形成されている第一の突出部３０には、その上面に長手方向に延びる隔離壁５０が設けられている。かかる隔離壁５０の鉛直方向の高さは他側壁２８の鉛直方向の高さと実質上同一である。上述されたように構成された主部材２０の長手方向の両端に固定されている両端壁部材２２の夫々には、貫通孔３６、３８、４０及び４２に連通せしめられている管状接続部材５２が四個配設されている。
【００１５】
タイマー付き供水手段４と二個の容器６の一方との間に配設されている、合成樹脂製でよい水路手段８はその一端が四個の管状接続部材５２に接続されており、かかる管状接続部材５２を介して一方の容器６の貫通孔３６、３８、４０及び４２に連通せしめられている。また、二個の容器６の間に配設されている合成樹脂製でよい連結水路手段１０はその両端が管状接続部材５２に接続されており、かかる管状接続部材５２を介して一方の容器６の貫通孔３６、３８、４０及び４２と、他方の容器６の貫通孔３６、３８、４０及び４２とを連通せしめている。水路手段８及び連結水路手段１０のどちらにも接続せしめられていない管状接続部材５２には、漏水防止のために漏水防止手段（図示していない）が配設されている。
【００１６】
連結水路手段１０を覆うカバー部材１２は主部材２０と同一の原材料を押出成形することにより形成することができる。かかるカバー部材１２は矩形状の水平天面壁５３、水平天面壁５３の一端から傾斜して上方に延びる傾斜天面壁５５、水平天面壁５３の一端から下方に垂下せしめられている第一の垂下壁５７と、傾斜天面壁５５の一端から下方に垂下せしめられている第二の垂下壁５９とによって構成されており、連結水路手段１０を覆うように二個の容器６の端部に載置されている。
【００１７】
容器６の下面に固定された固定盤１４も主部材２０と同一の原材料を押出成形することにより形成することができる。かかる固定盤１４は複数個（図７においては８個）の締結ネジでよい締結手段５４によって容器６の下面に締結せしめられる板状締結部５６と、締結部５６の下面から鉛直に延びる係合部５８とから構成されている。
【００１８】
固定盤１４の下面から実質上鉛直に延びる支柱手段１６は、図示の実施形態においては基礎ブロック６０と、基礎ブロック６０から実質上鉛直に上方に延びる中空柱部材６２とから構成されている。好ましくは、基礎ブロック６０はセメントを主成分とする材料から形成されており、中空柱部材６２は重量比率で３５％以上の合成樹脂と、６５％以下のセルロース系微粉粒とを含む、押出成形された木質様部材から形成されている。基礎ブロック６０は直方体形状の主部６４と、かかる主部６４の上面に設けられた支持部６６から構成されている。中空柱部材６２には、その両端部に被係合部６７及び６８が形成されており、被係合部６７に上述した固定盤１４の係合部５８が差し込まれ、被係合部６８に基礎ブロック６０の支持部６６が差し込まれ、被係合部６７と固定盤１４の係合部５８とは複数個のプラグアンカーでよい第一の締結手段７０によって締結され、被係合部６８及び基礎ブロック６０の支持部６６も複数個のプラグアンカーでよい第二の締結手段７２によって締結されている。
【００１９】
上述されたように構成された植物栽培装置２においては、設定時間になるとタイマー付き供水手段４が稼動され、水源から図示しない取水路を介して水が取水され、水路手段８を介して容器６の貫通孔３６、３８、４０及び４２に向けて水を供給する。かくすると、貫通孔３６及び３８に配設されている散水手段４４は容器６内に植えられている植物に向けて水を散水する。容器６内の土壌に過剰に沁み込んだ水は容器６の底壁２４に設けられている排水孔４８を介して容器６の外へ排出される。一方、貫通孔４０及び４２に配設されている散水手段４６は、かかる散水手段４６の下方に植えられている植物に向けて水を散水する。
【００２０】
図８には本発明に従って構成された植物栽培装置における他の好適実施形態の一部が図示されている。図示の実施形態においては、二個の容器６が互いに約６０度である角度θ１をなすように配置されており、二個の容器６の間には連結水路手段１０を覆うカバー部材１１２が配設されている。かかるカバー部材１１２は主部材２０と同一の原材料を射出成形することにより形成することができ、略五角形状の水平天面壁１５３と、水平天面壁１５３のＶ字型の切欠部から垂下する第一の垂下壁１５５と、水平天面壁１５３の端から上方に傾斜して延びる傾斜天面壁１５７と、傾斜天面壁１５７の端から垂下する第二の垂下壁１５９とから構成されている。図８に図示する植物栽培装置のその他の構成は図１乃至図７に図示する植物栽培装置と実質上同一でよい。
【００２１】
図９には本発明に従って構成された植物栽培装置における更に他の好適実施形態の一部が図示されている。図示の実施形態においては、二個の容器６は互いに約９０度である角度θ２をなすように配置されており、かかる二個の容器６の間には連結水路手段１０を覆うカバー部材２１２が配設されている。かかるカバー部材２１２は主部材２０と同一の原材料を射出成形することにより形成することができ、略矩形状の水平天面壁２５３と、水平天面壁２５３のくの字型の切欠部から垂下する垂下する第一の垂下壁２５５と、水平天面壁２５３の端から上方に傾斜して延びる傾斜天面壁２５７と、傾斜天面壁２５７の端から垂下する第二の垂下壁２５９とから構成されている。図９に図示する植物栽培装置のその他の構成は図１乃至図７に図示する植物栽培装置と実質上同一でよい。
【００２２】
図１０には本発明に従って構成された植物栽培装置における更に他の好適実施形態の一部が図示されている。図示の実施形態においては、二個の容器６は互いに約１５０度である角度θ３をなすように配置されており、かかる二個の容器６の間には連結水路手段１０を覆うカバー部材３１２が配設されている。かかるカバー部材３１２は主部材２０と同一の原材料を射出成形することにより形成することができ、略扇形状の水平天面壁３５３と、水平天面壁３５３のへの字型の切欠部から垂下する第一の垂下壁３５５と、水平天面壁３５３の端から上方に傾斜して延びる傾斜天面壁３５７、傾斜天面壁３５７の端から垂下する第二の垂下壁３５９とから構成されている。図１０に図示する植物栽培装置のその他の構成は図１乃至図７に図示する植物栽培装置と実質上同一でよい。
【００２３】
図１乃至図１０を参照して本発明の植物栽培装置について説明したが、本発明は上述された植物栽培装置に限定されるものではなく、本発明の範囲から逸脱することなく種々の変形乃至修正が可能である。例えば、図１乃至図２においては、二個の容器６をタンデム配置した場合、図８乃至図１０においては、二個の容器６が互いに角度θをなすように配置された場合を図示したが、本発明の植物栽培装置においては、一個のみの容器で植物栽培装置を構成すること、或いは三個以上の容器で植物栽培装置を構成し、これらをタンデム配置、角度をなす配置或いはタンデム配置と角度をなす配置とを組み合わせた配置にすることもできる。
【００２４】
【発明の効果】
本発明によれば、水路手段を構成する散水ホースを別個に配設する必要がなく、比較的安価に製造することができる。また、必要に応じて複数個をタンデム配列して好都合に使用することができる。更に、耐候性を向上させることができる。
【図面の簡単な説明】
【図１】本発明に従って構成された植物栽培装置の好適実施形態を図示する正面図。
【図２】図１に示す植物栽培装置における一部を拡大して示す部分拡大上面図。
【図３】図１に示す植物栽培装置の側面図。
【図４】図１に示す植物栽培装置の長手方向に対して直角の方向における縦断面図。
【図５】図１に示す植物栽培装置における一部を拡大して示す部分拡大正面図。
【図６】図１に示す植物栽培装置の長手方向における縦断面図。
【図７】図１に示す植物栽培装置の一部を分解した分解斜視図。
【図８】本発明に従って構成された植物栽培装置における他の好適実施形態の一部を拡大して示す部分拡大上面図。
【図９】本発明に従って構成された植物栽培装置における更に他の好適実施形態の一部を拡大して示す部分拡大上面図。
【図１０】本発明に従って構成された植物栽培装置における更に他の好適実施形態の一部を拡大して示す部分拡大上面図。
【符号の説明】
２：植物栽培装置
６：容器
１６：支柱手段
２０：主部材
２２：両側壁部材
２４：底壁
２６：片側壁
２８：他側壁
３６：貫通孔
３８：貫通孔
４０：貫通孔
４２：貫通孔
４４：散水手段
４６：散水手段
５２：管状接続部材
６２：中空柱部材
６４：基礎ブロック
【図１】
2004283006.tif 000003
【図２】
2004283006.tif 000004
【図３】
2004283006.tif 000005
【図４】
2004283006.tif 000006
【図５】
2004283006.tif 000007
【図６】
2004283006.tif 000008
【図７】
2004283006.tif 000009
【図８】
2004283006.tif 000010
【図９】
2004283006.tif 000011
【図１０】
2004283006.tif 000012